(57)【要約】【課題】  操作リングの良好な操作性を確保し、同時に、ヘリコイド結合部の有効なガタ防止を図るとともに、実施の容易性，低コスト性，汎用性を確保する。【解決手段】  レンズ鏡筒２の固定筒２ｃに回動変位可能に配した操作リング３と、レンズ枠５により一又は二以上のレンズＬ１…を保持してなるレンズユニット４と、操作リング３の回動変位を運動変換してレンズユニット４を光軸方向Ｆｃへ変位させるヘリコイド結合部６とを有するレンズ操作機構Ｍｃを具備してなるレンズ装置を構成するに指して、固定筒２ｃ又はレンズ枠５の一方に固定ネジ１１…により固定可能であって、かつ光軸方向Ｆｃに対する直角面１２ｓを有する規制プレート１２と、固定筒２ｃ又はレンズ枠５の他方に固定し、かつ光軸方向Ｆｃに軸心Ｆｓを有するとともに、規制プレート１２に係合して位置が規制される係合シャフト１３とを有する位置規制機構部Ｍｓを備える。【選択図】  図１
2015219385.tif 000002
【特許請求の範囲】
【請求項１】
レンズ鏡筒の固定筒に回動変位可能に配した操作リングと、レンズ枠により一又は二以上のレンズを保持してなるレンズユニットと、前記操作リングの回動変位を運動変換して前記レンズユニットを光軸方向へ変位させるヘリコイド結合部とを有するレンズ操作機構を具備してなるレンズ装置において、前記固定筒又は前記レンズ枠の一方に固定ネジにより固定可能であって、かつ光軸方向に対する直角面を有する規制プレートと、前記固定筒又は前記レンズ枠の他方に固定し、かつ光軸方向に軸心を有するとともに、前記規制プレートに係合して位置が規制される係合シャフトとを有する位置規制機構部を備えてなることを特徴とするレンズ装置。
【請求項２】
前記操作リングは、フォーカスリングであることを特徴とする請求項１記載のレンズ装置。
【請求項３】
前記規制プレートは、少なくとも二カ所以上の各位置を固定ネジにより固定することを特徴とする請求項１又は２記載のレンズ装置。
【請求項４】
前記規制プレートは、前記固定ネジを緩めた際に前記直角面の面方向へ所定範囲にわたって変位可能に形成してなることを特徴とする請求項１，２又は３記載のレンズ装置。
【請求項５】
前記位置規制機構部は、前記直角面に規制孔を形成し、この規制孔に前記係合シャフトを挿通させてなることを特徴とする請求項１〜４のいずれかに記載のレンズ装置。
【請求項６】
前記位置規制機構部は、離間した位置に少なくとも二組以上配設することを特徴とする請求項１〜５のいずれかに記載のレンズ装置。
【発明の詳細な説明】
【技術分野】
【０００１】
本発明は、操作リングの回動変位によりレンズユニットを光軸方向へ進退変位させるヘリコイド結合部を有するレンズ装置に関する。
【背景技術】
【０００２】
一般に、レンズ装置は、フォーカス調整を行うフォーカスレンズ操作機構等の各種レンズ操作機構を備えており、通常、この種のレンズ操作機構は、レンズ鏡筒の固定筒に回動変位可能に配した操作リングと、レンズ枠により一又は二以上のレンズを保持してなるレンズユニットと、前記操作リングの回動変位を運動変換して前記レンズユニットを光軸方向に変位させるヘリコイド結合部を備えている。この場合、ヘリコイド結合部は、レンズ枠の外周面に設けたヘリコイド雄ネジと固定筒の内周面に設けたヘリコイド雌ネジを螺合させた形態を有しているため、精度の高いフォーカス調整を実現するには、ヘリコイド結合部における所謂ガタをできるだけ小さくし、ゼロに近づける必要がある。
【０００３】
従来、このようなガタを防止する手段（方法）としては、特許文献１で開示されるレンズ鏡筒のガタ防止機構及び特許文献２で開示されるガタツキ防止方法が知られている。前者は、ヘリコイド結合された一対の筒体間での光軸方向のガタを防止し、かつ一方の筒体を回転させる際の負荷の変動を防止し、さらに径方向のガタを同時に防止することを可能にしたガタ防止機構の提供を目的としたものであり、具体的には、回転操作される一方の筒体にヘリコイド結合された他方の筒体を、光軸方向に分割された第１及び第２の筒体部で構成するとともに、これら第１及び第２の筒体部はそれぞれ光軸方向に弾性力を有する連結部材により光軸方向に連結され、かつこの連結部材の弾性力により第１及び第２の筒体部はそれぞれ一方の筒体に対して異なる光軸方向に当接されるようにしたものである。また、後者は、光学装置において、製造に時間とコストとを掛けさせることなく、光軸方向に移動する鏡筒部の円滑な移動とガタツキの防止の実現を目的としたものであり、具体的には、投写レンズは、フォーカス筒と固定筒とを備え、フォーカス筒は、固定筒の先端の外側に嵌合し、また、フォーカス筒及び固定筒は、ヘリコイド雌ネジとへリコイド雄ネジとを介してヘリコイド結合するとともに、フォーカス筒と固定筒との間に空けた隙間に、弾性を有する粒状体が添加されたグリスが充填されたものである。
【先行技術文献】
【特許文献】
【０００４】
【特許文献１】特開平８−３０４６８８号公報
【特許文献２】特開２０１０−１６０１９６号公報
【発明の概要】
【発明が解決しようとする課題】
【０００５】
しかし、上述したガタを防止するための従来の手段（方法）は、次のような問題点があった。
【０００６】
第一に、特許文献１のような、ヘリコイド結合部に対して外部から弾性力を付与する手段は、弾性力がヘリコイド結合部の回動変位及び進退変位に少なからず影響し、操作リングの良好な操作性を損なう虞れがある。しかも、基本的には弾性力により支持する原理のため、ガタを完全に防止することができない。この結果、レンズが重い場合やレンズの角度等によっては、レンズを正確な位置に維持する効果が薄れやすく、フォーカス調整等に高い調整精度が要求される場合はその要求に応えられない。
【０００７】
第二に、特許文献２のような、ヘリコイド結合部の隙間に充填物を収容する方法も同様な問題を有しており、充填物がヘリコイド結合部の回動変位及び進退変位に少なからず影響し、操作リングの良好な操作性に影響する虞れがある。加えて、充填物を収容する工程が必要になるため、製造容易性及び製造品質を損なう虞れがあるとともに、充填物の劣化等により長期使用における信頼性及び安定性を確保しにくい。
【０００８】
本発明は、このような背景技術に存在する課題を解決したレンズ装置の提供を目的とするものである。
【課題を解決するための手段】
【０００９】
本発明に係るレンズ装置１は、上述した課題を解決するため、レンズ鏡筒２の固定筒２ｃに回動変位可能に配した操作リング３と、レンズ枠５により一又は二以上のレンズＬ１…を保持してなるレンズユニット４と、操作リング３の回動変位を運動変換してレンズユニット４を光軸方向Ｆｃへ変位させるヘリコイド結合部６とを有するレンズ操作機構Ｍｃを具備してなるレンズ装置を構成するに指して、固定筒２ｃ又はレンズ枠５の一方に固定ネジ１１…により固定可能であって、かつ光軸方向Ｆｃに対する直角面１２ｓを有する規制プレート１２と、固定筒２ｃ又はレンズ枠５の他方に固定し、かつ光軸方向Ｆｃに軸心Ｆｓを有するとともに、規制プレート１２に係合して位置が規制される係合シャフト１３とを有する位置規制機構部Ｍｓを備えてなることを特徴とする。
【００１０】
この場合、発明の好適な態様により、操作リング３には、フォーカスリング３ｆを適用することができる。また、規制プレート１２は、少なくとも二カ所以上の各位置を固定ネジ１１…により固定することができるとともに、固定ネジ１１…を緩めた際に直角面１２ｓの面方向Ｆｄへ所定範囲にわたって変位可能に形成することができる。さらに、位置規制機構部Ｍｓは、直角面１２ｓに規制孔１２ｈを形成し、この規制孔１２ｈに係合シャフト１３を挿通させて構成できる。なお、位置規制機構部１２ｓは、離間した位置に少なくとも二組（Ｍｓ…）以上配設することが望ましい。
【発明の効果】
【００１１】
このような構成を有する本発明に係るレンズ装置１によれば、次のような顕著な効果を奏する。
【００１２】
（１）  固定筒２ｃ又はレンズ枠５の一方に固定ネジ１１…により固定可能であって、かつ光軸方向Ｆｃに対する直角面１２ｓを有する規制プレート１２と、固定筒２ｃ又はレンズ枠５の他方に固定し、かつ光軸方向Ｆｃに軸心Ｆｓを有するとともに、規制プレート１２に係合して位置が規制される係合シャフト１３とを有する位置規制機構部Ｍｓを設けたため、ヘリコイド結合部６に対する位置規制機構部Ｍｓからの直接的な作用は生じない。したがって、操作リング３の良好な操作性を確保できるとともに、同時に、ヘリコイド結合部６に対する有効なガタ防止を図ることができる。これにより、フォーカス調整等に高い調整精度が要求される場合であっても、その要求に十分に応えることができる。
【００１３】
（２）  量産可能な小型簡易部品をレンズ鏡筒２内の空スペースに対して追加的に組付ければ実現できるとともに、空スペースが無い場合であっても僅かな追加加工等により実現できる。したがって、容易かつ低コストに実施できるとともに、既存製品にも容易に適用できるなど汎用性にも優れる。加えて、単純な係合構造により実現できるため、長期使用における耐久性、更には信頼性及び安定性にも優れる。
【００１４】
（３）  好適な態様により、操作リング３として、フォーカスリング３ｆを適用すれば、フォーカス調整の精度を飛躍的に高めることができるため、特に高い精度が要求される高性能レンズ装置や高級レンズ装置の要請にも十分に応えることができる。
【００１５】
（４）  好適な態様により、規制プレート１２における少なくとも二カ所以上の各位置を固定ネジ１１…により固定するようにすれば、規制プレート１２に対する固定強度及び固定バランスを高めることができることに加え、固定位置を調整（設定）する際の作業を的確かつ柔軟に行うことができる。
【００１６】
（５）  好適な態様により、規制プレート１２を、固定ネジ１１…を緩めた際に直角面１２ｓの面方向Ｆｄへ所定範囲にわたって変位可能に形成すれば、固定位置を調整（設定）する際の追従範囲を余裕をもって確保できるため、規制プレート１２の固定位置に対する円滑かつ確実な調整（設定）を行うことができる。
【００１７】
（６）  好適な態様により、位置規制機構部Ｍｓを構成するに際し、規制プレート１２の直角面１２ｓに規制孔１２ｈを形成し、この規制孔１２ｈに係合シャフト１３を挿通させるようにすれば、一つの規制孔１２ｈにより直角面１２ｓの面方向の全範囲に規制できるため、十分な規制機能を確保できるとともに、位置規制機構部Ｍｓが一組であっても実現可能になるなど、少ない組数での実施が可能となり、低コスト性を確保する観点から最も望ましい形態として実施できる。
【００１８】
（７）  好適な態様により、位置規制機構部Ｍｓを、離間した位置に少なくとも二組（Ｍｓ…）以上配設するようにすれば、組数に従ってフォーカス調整等の調整精度をより高めることができる。したがって、各種レンズ装置１の要求に応じた調整精度の最適化を容易に行うことができる。
【図面の簡単な説明】
【００１９】
【図１】本発明の好適実施形態に係るレンズ装置（中間アセンブリ）に備える位置規制機構部を明示する背面図、
【図２】同レンズ装置に備える位置規制機構部の構成を明示する斜視図、
【図３】同レンズ装置の全体構造を示す断面側面図、
【図４】同レンズ装置に備える位置規制機構部を抽出して示す側面図、
【図５】同レンズ装置に備えるレンズユニットを前方（図中、左方向）へ変位させた状態を示す位置規制機構部の側面図、
【図６】同レンズ装置に備える位置規制機構部の組付位置を調整（設定）する際の手順を示すフローチャート、
【図７】同位置規制機構部の組付位置を調整（設定）する際におけるレンズ装置の中間アセンブリを示す断面側面図、
【図８】同位置規制機構部の組付位置を調整（設定）する際の処理説明図、
【発明を実施するための形態】
【００２０】
次に、本発明に係る好適実施形態を挙げ、図面に基づき詳細に説明する。
【００２１】
まず、本発明の理解を容易にするため、本実施形態に係るレンズ装置１全体の概要について、図１及び図３を参照して説明する。
【００２２】
例示のレンズ装置１は、フォーカス調整に対して高い調整精度が要求される高性能レンズ、特に、カメラボディ（不図示）に対して着脱する交換レンズである。このレンズ装置１は、固定筒２ｃとこの固定筒２ｃの後端に付設する後部ブロック２ｃｒを有するレンズ鏡筒２を備える。また、固定筒２ｃは、外筒部２ｃｏと内筒部２ｃｉにより構成し、内筒部２ｃｉの内部における前側位置には、前レンズユニット３１を配設する。この前レンズユニット３１は、内筒部２ｃｉに支持された前レンズ枠３２及びこの前レンズ枠３２により保持された四枚のレンズを含む前レンズ群３３を備える。
【００２３】
さらに、内筒部２ｃｉの内部における後側位置には、内筒部２ｃｉに支持されるレンズユニット４を備える。このレンズユニット４は内筒部２ｃｉにより回動変位が規制され、かつ進退変位が許容されたフォーカスレンズ枠５及びこのフォーカスレンズ枠５により保持された三枚のフォーカスレンズＬ１，Ｌ２，Ｌ３を含むフォーカスレンズ群８を備える。この場合、内筒部２ｃｉには光軸方向Ｆｃに沿ったガイドスリット３６…が形成され、フォーカスレンズ枠５に一体に設けたリング体３５の一部が当該ガイドスリット３６…に係合する。このレンズユニット４は、リアフォーカス方式として機能する。
【００２４】
一方、外筒部２ｃｏの光軸方向Ｆｃの中間位置には、カット状のリング空間を設け、このリング空間を埋めるように、フォーカス調整を行うマニュアル操作用のフォーカスリング３ｆを回動変位可能に配する。このフォーカスリング３ｆは操作リング３を構成する。さらに、フォーカスリング３ｆとレンズユニット４間にはヘリコイド結合部６を設ける。このヘリコイド結合部６は、フォーカスリング３ｆの内周面に設けたヘリコイド雌ネジ部６ｉと、リング体３５の外周面に設け、かつ当該ヘリコイド雌ネジ部６ｉに螺合するヘリコイド雄ネジ部６ｏにより構成する。
【００２５】
他方、外筒部２ｃｏの後端には後部ブロック２ｃｒを付設する。後部ブロック２ｃｒは後端にバヨネット式のレンズマウント部４１を有し、このレンズマウント部４１を介してカメラボディ側のマウント部に対して着脱する。なお、例示の場合、後部ブロック２ｃｒには、絞り調整用の絞りリングも備えている。さらに、後部ブロック２ｃｒの内方には、後レンズユニット４２を配設する。この後レンズユニット４２は、後レンズ枠４３及びこの後レンズ枠４３により保持された四枚のレンズを含む後レンズ群４４を備える。後レンズ枠４３の前端はフォーカスレンズ枠５の後端に結合し、後レンズユニット４２とレンズユニット４は一体となる。
【００２６】
以上の構成において、フォーカスリング３ｆからフォーカスレンズ枠５までの機構はフォーカス調整を行うための基本的なレンズ操作機構Ｍｃを構成する。これにより、フォーカスリング３ｆを回動操作すれば、ヘリコイド雌ネジ部６ｉが回動変位する。この際、ヘリコイド雄ネジ部６ｏはガイドスリット３６…により回動変位が規制されているため、ヘリコイド雄ネジ部６ｏは進退変位する運動変換が行われる。即ち、レンズユニット４は光軸方向Ｆｃに進退変位し、フォーカス調整が行われる。
【００２７】
ところで、このようなレンズ操作機構Ｍｃは、ヘリコイド結合部６を備えるため、少なからずガタが存在する。ヘリコイド結合部６は、原理上、通常のねじ結合部に対して、よりガタの少ない原理に基づいているが、高精度化の要求はより高まる傾向にあるとともに、他方、加工精度を高めるには限界がある。具体的には、高度の加工技術により製作しても現状では平均０．００５〔ｍｍ〕程度の誤差が発生する。そこで、本実施形態に係るレンズ装置１は、このレンズ操作機構Ｍｃのガタを防止する手段として、基本構成のレンズ操作機構Ｍｃに対して、二組の位置規制機構部Ｍｓ，Ｎｓを追加的に付加して構成したものである。
【００２８】
次に、本実施形態に係るレンズ装置１の要部を構成する位置規制機構部Ｍｓについて、図１〜図８を参照して説明する。
【００２９】
なお、一方の位置規制機構部Ｍｓについて説明するが、他方の位置規制機構部Ｍｓは１８０〔゜〕離間した位置に配設する点を除いて同様に構成することができる。
【００３０】
最初に、位置規制機構部Ｍｓの構成部品について説明する。位置規制機構部Ｍｓは、基本的な構成部品として、一枚の規制プレート１２と一本の係合シャフト１３を備える。また、規制プレート１２を取付けるための二つの固定ネジ１１，１１を使用する。
【００３１】
この場合、規制プレート１２は、金属素材やプラスチック素材等の剛性素材を使用し、所定の厚さを有するプレート材を切断することにより、図１に示すような略長方形に形成する。そして、規制プレート１２の短辺方向一方側に、長辺方向に離間した二つの円形挿通孔２１，２２を形成するとともに、規制プレート１２の短辺方向他方側であって、長辺方向中央位置に、規制孔１２ｈを形成する。これにより、規制プレート１２の短辺方向一方側は、固定筒２ｃに対して二つの固定ネジ１１，１１により固定できるとともに、規制プレート１２における少なくとも短辺方向他方側は、光軸方向Ｆｃに対する直角面１２ｓとして形成される。
【００３２】
この際、円形挿通孔２１，２２は、固定ネジ１１のネジ本体部１１ｎが挿通し、かつ図８に示すように、ある程度の遊びＣｐが生じる径を選定する。これにより、規制プレート１２は、固定ネジ１１…を緩めた際に直角面１２ｓの面方向Ｆｄへ所定範囲にわたって変位可能となる。これにより、固定位置を調整（設定）する際の追従範囲を余裕をもって確保できるため、規制プレート１２の固定位置に対する円滑かつ確実な調整（設定）を行うことができる。さらに、規制プレート１２は、二カ所の各位置を固定ネジ１１，１１により固定したため、規制プレート１２に対する固定強度及び固定バランスを高めることができるとともに、これに加え、固定位置を調整（設定）する際の作業を的確かつ柔軟に行うことができる。
【００３３】
また、直角面１２ｓに形成した規制孔１２ｈは、係合シャフト１３が挿通する円孔により形成する。これにより、規制孔１２ｈは係合シャフト１３を光軸方向Ｆｃへ自在にガイドするとともに、直角面１２ｓの面方向には規制する。したがって、規制孔１２ｈの径は、係合シャフト１３の径に対応して選定、即ち、係合シャフト１３を、光軸方向Ｆｃに対しては円滑な変位を許容するとともに、直角面１２ｓの面方向に対する遊びはできるだけ小さくなるように選定する。このような規制孔１２ｈを設ければ、係合シャフト１３を挿通させた際に、一つの規制孔１２ｈにより直角面１２ｓの面方向の全範囲を規制できるため、十分な規制機能を確保できるとともに、位置規制機構部Ｍｓが一組であっても実現可能になるなど、少ない組数での実施が可能となり、低コスト性を確保する観点から最も望ましい形態として実施できる。
【００３４】
他方、係合シャフト１３は、金属素材やプラスチック素材等の剛性素材を使用することにより一本の丸棒状に形成する。この場合、係合シャフト１３は、図４に示すように、光軸方向Ｆｃに軸心Ｆｓを有し、かつ規制プレート１２に係合して位置が規制されるシャフト本体部１３ｍを備える。また、シャフト本体部１３ｍの一端には取付ネジ部１３ｃを一体形成するとともに、この取付ネジ部１３ｃとシャフト本体部１３ｍ間には大径となる鍔部１３ｆを一体形成する。
【００３５】
次に、位置規制機構部Ｍｓの組付方法及び組付位置の調整（設定）方法について、図６〜図８を参照して説明する。
【００３６】
まず、本実施形態に係るレンズ装置１は、二組の位置規制機構部Ｍｓ…を使用し、図１に示すように、レンズ鏡筒２の径方向における１８０〔゜〕離間した位置にそれぞれ配設する。このように、位置規制機構部Ｍｓを、離間した位置に少なくとも二組（Ｍｓ…）以上配設するようにすれば、組数に従ってフォーカス調整等の調整精度をより高めることができる。したがって、各種レンズ装置１の要求に応じた調整精度の最適化を容易に行うことができる。
【００３７】
以下、組付方法及び組付位置の調整（設定）方法について、図６に示すフローチャートを参照して説明する。
【００３８】
なお、一方の位置規制機構部Ｍｓについて説明するが、他方の位置規制機構部Ｍｓも同様に組付及び調整（設定）を行うことができる。まず、前段組立工程では、レンズユニット４を含む固定筒２ｃ側における必要な組立を行い、図７に示す中間アセンブリ１ｍを得る（ステップＳ１）。なお、このステップＳ１で得られる中間アセンブリは、図７に示す中間アセンブリ１ｍから、規制プレート１２，固定ネジ１１，１１及び係合シャフト１３を除いた状態となる。
【００３９】
そして、レンズユニット４におけるフォーカスレンズ枠５に対して係合シャフト１３の取付けを行う（ステップＳ２）。この場合、図５に示すように、レンズユニット４のフォーカスレンズ枠５における段差面部、即ち、光軸方向Ｆｃに対して直角となる段差面部５ｓには、係合シャフト１３の取付ネジ部１３ｃが螺合可能なネジ孔２５を形成するとともに、このネジ孔２５に取付ネジ部１３ｃを螺着する。即ち、レンズ枠５に係合シャフト１３を固定する。これにより、係合シャフト１３は、光軸方向Ｆｃに軸心Ｆｓを有し、かつ後方に突出する。段差面部５ｓは、既存のフォーカスレンズ枠５における段差面をそのまま利用してもよいし、適当な段差面が存在しない場合には別途形成してもよい。なお、フォーカスレンズ枠５は、レンズＬ１…を直接保持するレンズ枠体５ｍのみならず、このレンズ枠体５ｍに対して一体に取付けられている部材を全て含む概念である。
【００４０】
一方、係合シャフト１３の取付けが終了したなら、固定筒２ｃにおける内筒部２ｃｉの後端部に、規制プレート１２を固定ネジ１１，１１により取付ける。この場合、図２に示すように、内筒部２ｃｉの後端部には、光軸方向Ｆｃに凹んだ取付凹部２ｃｃを切欠状に形成するとともに、この取付凹部２ｃｃに固定ネジ１１…が螺合可能な一対の離間したネジ孔を形成する。そして、組付時には、まず、規制プレート１２の規制孔１２ｈに、シャフト本体部１３ｍ（係合シャフト１３）を挿通させる（ステップＳ３）。次いで、固定ネジ１１…を規制プレート１２の円形挿通孔２１，２２に通し、内筒部２ｃｉに設けた取付凹部２ｃｃの各ネジ孔に螺着することにより、規制プレート１２を固定筒２ｃに対して取付ける（ステップＳ４）。この際、完全に固定することなく、僅かな外力で規制プレート１２が面方向Ｆｄへ変位できるように仮固定状態に保持する（ステップＳ５）。
【００４１】
この後、フォーカスリング３ｆを全操作範囲にわたって回動操作する（ステップＳ６）。これにより、係合シャフト１３（シャフト本体部１３ｍ）を、図８に示すように、実線で示す前端位置と仮想線で示す後端位置間のストローク範囲にわたって変位させることができる。したがって、シャフト本体部１３ｍを適当な回数だけ当該ストローク範囲を往復変位させれば、この変位に対応して規制プレート１２がいわば自動により最適位置に調整（設定）される。
【００４２】
このような原理に基づくため、フォーカスリング３ｆを回動操作し、スムースに操作できることを確認しながら、固定ネジ１１，１１を図８中、矢印Ｆｒ方向に締付け又は必要により緩めることにより、徐々に固定ネジ１１，１１の締付けを行う（ステップＳ６，Ｓ７，Ｓ８，Ｓ９，Ｓ５…）。そして、最終的に固定ネジ１１，１１を完全に締付ける。これにより、規制プレート１２を固定筒２ｃに固定することができる。この状態が図７に示す中間アセンブリ１ｍとなる。規制プレート１２の取付けが終了したなら後前段組立工程を行う（ステップＳ１０，Ｓ１１）。後前段組立工程では、後部ブロック２ｃｒ及び後レンズユニット４２等の残りの組立を行う。これにより、図３に示す目的のレンズ装置１を得ることができる。
【００４３】
よって、このような本実施形態に係るレンズ装置１によれば、固定筒２ｃ又はレンズ枠５の一方に固定ネジ１１…により固定可能であって、かつ光軸方向Ｆｃに対する直角面１２ｓを有する規制プレート１２と、固定筒２ｃ又はレンズ枠５の他方に固定し、かつ光軸方向Ｆｃに軸心Ｆｓを有するとともに、規制プレート１２に係合して位置が規制される係合シャフト１３とを有する位置規制機構部Ｍｓを設けたため、ヘリコイド結合部６に対する位置規制機構部Ｍｓからの直接的な作用は生じない。したがって、操作リング３の良好な操作性を確保できるとともに、同時に、ヘリコイド結合部６に対する有効なガタ防止を図ることができる。これにより、フォーカス調整等に高い調整精度が要求される場合であっても、その要求に十分に応えることができる。特に、例示した実施形態の場合、位置規制機構部Ｍｓを設けなければ、平均０．００５〔ｍｍ〕程度の誤差が発生してしまうが、二カ所の位置規制機構部Ｍｓ，Ｍｓを設けることにより、最大０．００２〔ｍｍ〕以下の誤差まで低減できた。
【００４４】
また、量産可能な小型簡易部品をレンズ鏡筒２内の空スペースに対して追加的に組付ければ実現できるとともに、空スペースが無い場合であっても僅かな追加加工等により実現できる。したがって、容易かつ低コストに実施できるとともに、既存製品にも容易に適用できるなど汎用性にも優れる。加えて、単純な係合構造により実現できるため、長期使用における耐久性、更には信頼性及び安定性にも優れる。しかも、操作リング３として、フォーカスリング３ｆを適用したため、フォーカス調整の精度を飛躍的に高めることができ、特に高い精度が要求される高性能レンズ装置や高級レンズ装置の要請にも十分に応えることができる。
【００４５】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００４６】
例えば、規制プレート１２を固定筒２ｃに取付け、かつ係合シャフト１３をレンズ枠５に取付ける形態を例示したが、規制プレート１２をレンズ枠５に取付け、かつ係合シャフト１３を固定筒２ｃに取付ける形態であってもよい。また、操作リング３としてフォーカスリング３ｆを適用した場合を例示したが、ズームリング等の他の操作リング３であってもよい。一方、規制プレート１２は二カ所の各位置を固定ネジ１１，１１により固定した場合を例示したが、一カ所を排除するものではないし、三カ所以上であってもよい。また、位置規制機構部Ｍｓは、１８０〔゜〕離間した位置に二組の位置規制機構部Ｍｓ，Ｍｓをそれぞれ配設した場合を例示したが、一組であってもよいし、三組以上であってもよい。さらに、位置規制機構部Ｍｓを構成するに際し、規制プレート１２の直角面１２ｓに規制孔１２ｈを形成した場合を示したが、位置規制機構部Ｍｓ…を二組以上配設する場合には、Ｕ字形の切欠部を係合させるなど、他の形態による実施も可能である。
【産業上の利用可能性】
【００４７】
本発明に係るレンズ装置１は、交換レンズをはじめカメラ一体型のレンズにも利用できるとともに、標準レンズをはじめズームレンズやマクロレンズ等の各種タイプのレンズに利用できる。また、使用の対象となるカメラも、フィルムカメラ，デジタルカメラ，ビデオカメラ等の各種タイプのカメラに利用することができる。
【符号の説明】
【００４８】
１：レンズ装置，２：レンズ鏡筒，２ｃ：固定筒，３：操作リング，３ｆ：フォーカスリング，４：レンズユニット，５：レンズ枠，６：ヘリコイド結合部，１１…：固定ネジ，１２：規制プレート，１２ｓ：直角面，１２ｈ：規制孔，１３：係合シャフト，Ｌ１…：レンズ，Ｆｃ：光軸方向，Ｆｓ：軸心，Ｆｄ：面方向，Ｍｃ：レンズ操作機構，Ｍｓ：位置規制機構部
【図１】
2015219385.tif 000003
【図２】
2015219385.tif 000004
【図３】
2015219385.tif 000005
【図４】
2015219385.tif 000006
【図５】
2015219385.tif 000007
【図６】
2015219385.tif 000008
【図７】
2015219385.tif 000009
【図８】
2015219385.tif 000010